(57)【要約】【課題】  点光源によってパネル全体を均一の明るさで照射する。【解決手段】  所定のデザインの施されたパネル６０を裏面側から照明するパネル部６を備える遊技機であって、遊技機正面に配置されるパネル６０と、パネル６０の裏面側に配置され、所定の光源（ＬＥＤ６７１）を有する光源部（ＬＥＤ基板６７）と、パネル６０と光源部との間に配置され、光源の少なくとも正面側を覆うとともに光源からの照射光を拡散する拡散カバー（照明光拡散カバー６６）と、を備え、拡散カバーは、少なくともパネル６０と所定の間隔をおいて、パネル６０と光源部との間に配置される。【選択図】    図４
2018171527.tif 000002
【特許請求の範囲】
【請求項１】
所定のデザインの施されたパネルと、
前記パネルの後方側に配置され、所定の光源を有する光源部と、を備え、
前記パネルは、
前記所定のデザインが印刷された特定シートを含み、
前記特定シートは、
前記所定のデザインが印刷された第１層と、
前記第１層の後方側に形成され、前記光源からの光を拡散するために白インクが印刷された第１領域及び当該白インクが印刷されていない第２領域を含む第２層と、
前記第２層の後方側に形成され、前記光源からの光を乱反射させるために凹凸形状に形成された第３層と、を含む
ことを特徴とする遊技機。
【請求項２】
前記パネルは、
前記特定シートの後方側に配置された特別シートを含み、
前記特別シートは、
前記光源からの光を乱反射させるために凹凸形状に形成された第４層を含む
ことを特徴とする請求項１記載の遊技機。
【請求項３】
前記パネルと前記光源部との間に配置され、少なくとも前記光源の前方側を覆うとともに前記光源からの照射光を拡散する拡散カバーを備えた
ことを特徴とする請求項１又は２に記載の遊技機。
【発明の詳細な説明】
【技術分野】
【０００１】
本発明は、所定のデザインの施されたパネルと、光源を備えた遊技機に関する。
【背景技術】
【０００２】
一般に、スロットマシン、パチンコ機などの遊技機は、所定の文字や絵柄等のデザインが表記されたパネルを備えている。
パネルは、例えば、無色透明又は有色透明の樹脂板上にデザインが施され、裏面側に設置された蛍光灯などの光源からの光によりパネル全体が照射されることでデザインが映し出されるようになっている。
【０００３】
ところで、近年、蛍光灯に代わる発光手段としてＬＥＤ（ Ｌｉｇｈｔ  Ｅｍｉｔｔｉｎｇ  Ｄｉｏｄｅ） の需要が高まっており、遊技機においても、パネル表示のための光源としてＬＥＤを備えるスロットマシン等が提案されている。
例えば、特許文献１には、パネル部の内部に複数のＬＥＤを複数列設け、パネルを裏面側から照射する遊技機が開示されている（段落［００２５］，図３等参照）。
【先行技術文献】
【特許文献】
【０００４】
【特許文献１】特開２００８−２３７５１３号公報
【発明の概要】
【発明が解決しようとする課題】
【０００５】
ところが、このような従来の遊技機には、改善の余地があった。
【０００６】
上記課題を解決するため、本発明は、所定のデザインの施されたパネルと、前記パネルの後方側に配置され、所定の光源を有する光源部と、を備え、前記パネルは、前記所定のデザインが印刷された特定シートを含み、前記特定シートは、前記所定のデザインが印刷された第１層と、前記第１層の後方側に形成され、前記光源からの光を拡散するために白インクが印刷された第１領域及び当該白インクが印刷されていない第２領域を含む第２層と、前記第２層の後方側に形成され、前記光源からの光を乱反射させるために凹凸形状に形成された第３層と、を含む構成としてある。
【図面の簡単な説明】
【０００７】
【図１】本発明の一実施形態に係るスロットマシンの正面図である。
【図２】本発明の一実施形態に係るスロットマシンの内部構成を示す概略斜視図である。
【図３】本発明の一実施形態に係るスロットマシンの制御構成の一例を示すブロック図である。
【図４】本発明の一実施形態に係るスロットマシンのパネル部を示す分解斜視図である。
【図５】（ａ）はパネル部の正面図、（ｂ）は（ａ）のパネル部のＡ−Ａ断面図である。
【図６】後側パネルの六面図及び斜視図である。
【図７】前側パネルの六面図及び斜視図である。
【図８】下パネル枠の六面図及び斜視図である。
【図９】照明光拡散カバーの六面図及び斜視図である。
【図１０】ＬＥＤ基板取付け後のパネル部を示す図である。
【図１１】照明光拡散カバー取付け後のパネル部を示す図である。
【図１２】パネル取付け後のパネル部を示す図である。
【図１３】照射光拡散カバーにおける光の拡散の様子を説明するための図である。
【図１４】絵柄シート及びちぢみシートにおける光の乱反射を説明するための図である。
【発明を実施するための形態】
【０００８】
以下、本発明に係る遊技機の好ましい実施形態について、各図を参照して説明する。
なお、遊技機には、パチンコ機，スロットマシン，アレンジボール機，雀球機等、遊技球やメダル等の遊技媒体を使用して遊技を行う各種の遊技機が含まれ、本実施形態においては、スロットマシンを例に挙げて説明する。
【０００９】
［スロットマシン本体］
図１は、本発明の一実施形態に係るスロットマシンの正面図、図２は、本発明の一実施形態に係るスロットマシンの内部構成を示す概略斜視図、図３は、本発明の一実施形態に係るスロットマシンの制御構成の一例を示すブロック図である。
【００１０】
これらの図に示すように、本実施形態のスロットマシン１は、複数のリール２１ａ，２１ｂ，２１ｃを回転させることによって遊技媒体であるメダルを獲得することができる回胴式遊技機を構成している。
【００１１】
スロットマシン１は、内部がマイクロコンピュータ等で構成された制御部３０、後述するパネル部６の光源であるＬＥＤ６７１を制御する演出制御部３１、及び必要な機械、装置等を収納する正面側が開口した筐体１ｂと、筐体１ｂの正面側を開閉可能に覆う前扉１ａとで構成されている。
【００１２】
前扉１ａは、図２に示すように、スロットマシン１の筐体１ｂにヒンジ等を介して開閉可能に取り付けられる扉体で、この前扉１ａに遊技操作に係る操作部４が設けられて、スロットマシン１の正面部を構成している。
【００１３】
操作部４には、メダルが投入されるメダル投入口４０と、各リール２１ａ，２１ｂ，２１ｃの回転を始動させるスタートレバー４１と、回転している各リール２１ａ，２１ｂ，２１ｃを停止させる３つの停止ボタン４２ａ，４２ｂ，４２ｃが設けられている。
【００１４】
前扉１ａには、各リール２１ａ，２１ｂ，２１ｃに表示された図柄を視認可能とする表示窓５が、操作部４の上側に設けられる。
また、前扉１ａには、機種の名称等を表す文字や機種に関連するキャラクタの絵柄等のデザインが表示されるパネル部６が、操作部４の下側に設けられる。
また、前扉１ａには、効果音等が出力されるスピーカ７が、例えばパネル部６の下側に設けられる。
【００１５】
筐体１ｂの中央には、リール２１ａ，２１ｂ，２１ｃと、各リール２１ａ，２１ｂ，２１ｃを回転させる図示しないモータ及び回転位置を検出するセンサ等を備えるドラムユニット２が設けられる。
【００１６】
また、筐体１ｂの下部には、メダルを貯留・払出するメダル払出装置８が設けられる。メダル払出装置８には、メダルを貯留するホッパー８０が設けられ、メダル投入口４０より投入されたメダルは、メダルセレクタ８１により検出されるとともに、ホッパー８０に誘導されるようになっている。
【００１７】
制御部３０は、筐体１ｂの奥側に配置されている。この制御部３０は、図示しないＣＰＵ、ＲＯＭなどの電子部品が搭載され、ＣＰＵがＲＯＭに記憶された遊技プログラムを実行処理することで、遊技進行に関する制御動作を行う。
具体的には、遊技者がスタートレバー４１及び停止ボタン４２を操作するとスタート信号やストップ信号が出力され、制御部３０は、これらの信号を入力するとリール２１ａ〜２１ｃを回転及び停止させる。
これにより、各リール２１ａ〜２１ｃに付された図柄を所定の入賞配列になるように揃えるスロットマシン遊技を行うことができる。
また、制御部３０は、図示しない通信ケーブルを介して演出制御部３１と通信可能に接続されており、スロットマシン１の遊技進行に伴って所定の信号が演出制御部３１に出力される。
【００１８】
演出制御部３１は、前扉１の裏側上部に配置されている。この演出制御部３１は、図示しないＣＰＵ、ＲＯＭなどの電子部品が搭載され、ＣＰＵがＲＯＭに記憶された演出プログラムを実行処理することで、遊技演出に関する制御動作を行う。
例えば、遊技進行を示す信号としてボーナス遊技の開始を指示する信号を入力したときには、スピーカ７を介して効果音を出力させたり、ＬＥＤ６７１を点灯・点滅させる。
このうち、ＬＥＤ６７１は、パネル部６に設けられ、その点灯・点滅に応じ、パネル上に文字や絵柄が表示されるようになっている。
特に、パネル部６は、ＬＥＤ６７１からの光をパネル全体に均一の明るさで効率よく照射させるための特徴的な構成を備えている。
以下、パネル部６について説明する。
【００１９】
［パネル部］
図４は、本実施形態のパネル部の分解斜視図であり、図５は、パネル部の正面図及び断面図である。また、図６〜９は、パネルの各構成部の六面図及び斜視図である。また、図１０〜１２は、パネル部の各種態様を示す図である。
図４，５等に示すように、本実施形態のパネル部６は、操作部４の下部における下パネル凹部６９に、複数のＬＥＤ６７１（点光源）を有するＬＥＤ基板６７（光源部）と、ＬＥＤ基板６７の正面側を覆いＬＥＤ６７１からの照射光を拡散する照明光拡散カバー６６（拡散カバー）と、前側パネル６２、絵柄シート６３、ちぢみシート６４、及び後側パネル６５からなるパネル６０と、下パネル枠６１と、を備える。
【００２０】
このうち、照明光拡散カバー６６は、後側パネル６５とＬＥＤ基板６７の間に配置するとともに、後側パネル６５とは所定の間隔をおいて配置するようにしている（図５（ｂ）参照）。例えば、本実施形態の照明光拡散カバー６６は、その表面（凸面）６６２が、後側パネル６５の後側パネル面６５８から１５ｍｍ程度離れるようにしている。
このようにすることで、照明光拡散カバー６６により拡散された光を、パネル６０に到達するまでに更に拡散させることができる。
また、照明光拡散カバー６６は、凹形状（本実施形態ではトレイ状）を有しており、凹部を光源側に向けて配置するようにしている。
このため、照明光拡散カバー６６からパネル６０側に照射される光は、その形状に基づき広範に射出されるようになっている。
以下、パネル部６の各構成について詳細に説明する。
【００２１】
（ＬＥＤ）
ＬＥＤ６７１は、指向性が高い点光源であり、照射域が狭い光源として知られている。
本実施形態では、このようなＬＥＤ６７１を、パネル６０を照射するための光源として用いる。
具体的には、複数のＬＥＤ６７１を、長尺のＬＥＤ基板６７上に直線状に並べ、これを複数列設ける。
ＬＥＤ基板６７は、照射部を正面側に向けた状態で取付板６８（取付台座６８１）に取り付けることで、パネル６０を、その裏面側から照明することができる（図５（ｂ），図１０等参照）。
なお、本実施形態では、２つのＬＥＤ基板６７を取付板６８に上下平行に取り付けるようにしているが、ＬＥＤ基板６７は、２つに限らず、１つ、又は、３つ以上でもよい。
また、複数のＬＥＤ６７１をチューブに入れるなどして製作された棒状の光源を、上記配列に沿って取り付ける態様であってもよい。
また、ＬＥＤ６７１単体を個々に取り付けることもできる。
【００２２】
（照明光拡散カバー）
照明光拡散カバー６６は、光を拡散させるための拡散部材であり、これを、ＬＥＤ基板６７とパネル６０との間に設置することで、パネル６０が照明光拡散カバー６６を介して均一の明るさで照射される。
照明光拡散カバー６６は、例えば、ＡＢＳ（Acrylonitrile  Butadiene  Styrene）やポリカーボネイトなどの樹脂に、所定の無機系粒子や有機系微粒子の拡散剤を配合し、これを一定の肉厚に成形した乳白色半透明の樹脂板を用いる。
【００２３】
特に、本実施形態の照明光拡散カバー６６は、トレイ状の形状からなり、パネル面より小さい矩形平面状の底部と、底部の周縁をラウンド状（曲面状）にした周縁部６６４とを備える。
照明光拡散カバー６６は、図４，５に示すように、底部の裏面（凹面）６６３をＬＥＤ６７１側に向け、上下辺の取付イヤ６６１を取付板６８の図示しない取付孔にビス止めすることで取り付ける（図９〜１１参照）。
また、本実施形態の照明光拡散カバー６６は、裏面（凹面）６６３側における開口境界面の近傍にＬＥＤ６７１が配置するように取り付けられる（図５(ｂ)参照）。
【００２４】
このようにすると、ＬＥＤ６７１と照明光拡散カバー６６とが間隔をおいて配置されるため、ＬＥＤ６７１から発せられた光のうち低指向成分（つまり、ＬＥＤ６７１から斜め方向に射出される光）を拡散光として効率よく取り入れることができる。
ただし、ＬＥＤ６７１と照明光拡散カバー６６との間隔が大きすぎると照度が著しく低下する。
このため、照明光拡散カバー６６は、これらのバランスを考慮し、ＬＥＤ６７１との間隔が適切（例えば、１２ｍｍ程度）となるように取り付けることが好ましい。
【００２５】
また、本実施形態の照明光拡散カバー６６は、取付板６８に取り付けたときに、上段のＬＥＤ基板６７が上部周縁部６６４の近傍に配置するようにしている（図５（ｂ），図１１参照）。
このため、ＬＥＤ６７１からの入射光を上部周縁部６６４の隅々まで、減衰なく拡散させることができ、パネル６０の上部方向に対し、より広く光を照射することができる。
また、このようにすると、パネル６０より小さい照明光拡散カバー６６を用いることができ、このようなコンパクトな照明光拡散カバー６６に対応し、少ない光源で効率よくパネル６０を照射することができる。
さらに、図５（ｂ）に示すように、照明光拡散カバー６６を斜め上方に向くように取り付けることもできる。
このようにすると、照明光拡散カバー６６の下部周縁部６６４と取付板６８との間に空間を生じさせることができる。
このため、ＬＥＤ６７１から発せられる熱をこの空間を通じて外部に放出させることができる。
【００２６】
次に、照明光拡散カバーにおける光の拡散について図１３を参照しながら説明する。
図１３に示すように、ＬＥＤ基板６７に設置された各ＬＥＤ６７１からの照射光は、照明光拡散カバー６６の裏面から入射すると、一部を除き、当該カバーの内部に散在する拡散剤と衝突することで不特定の方向に屈折して拡散する。
【００２７】
拡散光は、一部が、照明光拡散カバー６６の表面と外部空間との境界面（以下、境界面という。）から外部に射出され、それ以外は、境界面との反射や各拡散剤との衝突による拡散を繰り返しながら、周縁部６６４に向かって伝播する。
周縁部６６４に到達した光は、さらにラウンド状の境界面に沿って、反射等を繰り返しながら周縁部６６４の端部に向かって伝播し、そのうち、入射角の小さい（境界面に対し直角に近い）光は境界面の法線方向に射出される。
この結果、周縁部６６４の境界面からは、そのラウンド状の曲面に沿って光が放射状に射出される。
したがって、パネル６０の全体を効率よく均一に照射することができる。
【００２８】
（パネル）
パネル６０は、図４、５等に示すように、透明な後側パネル６５と前側パネル６２との間に、透明なシート上に所定の文字、絵柄が表記されその一部に所定のちぢみ加工を施した絵柄シート６３を挟装して構成される。また、必要に応じ、透明なシートの全面にちぢみ加工を施したちぢみシート６４を絵柄シート６３と重ねて使用する。
【００２９】
図６，７等に示すように、前側パネル６２と後側パネル６５は、相似の凹形状であり、前側パネル６２の裏面凹部（前側パネル面６２７）に後側パネル６５の正面凸部（後側パネル面６５８）を重ねることで、前側パネル６２の上辺部６２１の各係止孔６２２に後側パネル６５の上辺部６５１の各凸条部６５２が係止されるとともに、前側パネル６２の下辺部６２３の各係止片６２４に設けられた各係止孔６２５に後側パネル６５の下辺部６５５の各下辺係止爪６５６が係止され、これにより前側パネル６２と後側パネル６５とが一体化される。
【００３０】
下パネル枠６１は、図４等に示すように、パネル６０の周縁に取り付けられる枠体である。
図８に示すように、下パネル枠６１の裏面の四隅には、前側パネル６２の各切欠き６２６、及び、後側パネル６５のビス孔６５７に対応した固定ボス６１３が設けられている。
このため、前側パネル６２と後側パネル６５を一体化した状態で、下パネル枠６１を、前側パネル６２の周縁に嵌め、後側パネル６５の各ビス孔６５７からビス止めすることでパネル６０と下パネル枠６１とが一体化される。
【００３１】
この状態で、下パネル枠６１の各係止突出片６１１を、前扉１ａの下パネル凹部６９の下部に設けられた各係止孔６９２（図１１参照）にそれぞれ係止させつつ、後側パネル６５の上辺係止爪６５３を、前扉１ａの下パネル凹部６９の上部に設けられた係止孔６９１に係止させることで、パネル６０が前扉１ａの下パネル凹部６９に仮止めされる。
そして、前扉１ａの裏側から取付板６８の図示しない取付孔にビスを通し、後側パネル６５の固定ボス６５４にビス止めすることで、パネル部６が前扉１ａの下部に固定される（図１２参照）。
なお、下パネル枠６１の上辺には、前扉１ａ内の機器との干渉を回避するための回避切欠き部６１２が設けられている。
【００３２】
このように、パネル６０は、絵柄シート６３と、これを前後から挟む透明な前側パネル６２及び後側パネル６５とが分離可能に重なり合って、前扉１ａに着脱可能に取り付けられる。
このため、パネル部６の全体を交換することなく、ユニット化されたパネル６０だけを取り出して絵柄シート６３を交換することができ、これにより表示内容を変更することができる。すなわち、絵柄シート６３を交換することで、異なる機種に変更できるように、汎用化が図られている。
【００３３】
ところで、照明光拡散カバー６６によっても、拡散剤の含有量が少ない場合やＬＥＤ６７１の輝度が高い場合は、パネル６０において粒状光の表示を回避できない場合がある。
このような場合、拡散剤の含有量を増やしたり、ＬＥＤ６７１の輝度を下げることによって目立たなくすることもできる。
しかしながら、拡散剤の含有量は照明光拡散カバー６６の製造後に調整を行うことはできず、また、ＬＥＤ６７１の輝度を下げる調整によってパネル６０全体の明るさが不足することもある。
そこで、本実施形態では、ちぢみ加工が施された絵柄シート６３やちぢみシート６４を用い、これらの表面に施された凹凸における光の乱反射を利用することによって、上記調整を行うことなく、粒状光を目立たなくしつつ、固有の視覚効果が得られるようにしている。
以下、このような絵柄シート６３等について説明する。
【００３４】
絵柄シート６３は、シルク印刷工法等によって、樹脂製の透明シート等の基材の表面に文字や絵柄等のデザインを所望の色で印刷し、その最終工程において、シートの絵柄部分又は全体に亘ってちぢみ加工（印刷）を施すことで生成することができる。なお、「ちぢみ」とは、皺状の模様のことをいう。
【００３５】
ちぢみ加工では、まず、当該加工により視覚効果を生じさせる領域（ちぢみ領域）を除き、光の拡散性の高い白インクを印刷する。
次に、ちぢみ印刷用の透明（又は不透明）の特殊インクを、ちぢみ領域に印刷し、その後、紫外線の照射により乾燥させる工程において、乾燥時間を調整することで、ちぢみ状の凸凹をシートの表面に形成する。なお、本実施形態のように、ちぢみ領域を含むシート全面に特殊インクを印刷してもよい（図１４参照）。
この結果、図１４（ａ）に示すように、基材の樹脂シートに相当するベース層６３１と、絵柄等のデザインが印刷された絵柄層６３２と、白インクが印刷された白インク層６３３と、上記ちぢみ加工による凹凸層６３４と、からなる積層構造の絵柄シート６３が生成される。
【００３６】
この絵柄シート６３に対し、裏面から高輝度の光が照射されると、白インク層６３３が積層されていない領域（Ａ領域）では、凹凸層６３４で乱反射された光がベース層６３１を透過してパネル６０の表面に表れる。
他方、白インク層６３３が積層されている領域（Ｂ領域）では、乱反射された光は白インク層６３３を透過せず、白インクが有する光の拡散機能によって領域全体に光が拡散される。
このため、白インク層６３３の領域は、全体が均一の明るさで照射され、ちぢみ領域は、高輝度の光が乱反射されてギラギラ輝いて表示される視覚効果を奏する。
【００３７】
次に、図１４を参照しながら、上記視覚効果について説明する。
なお、図１４に示すように、絵柄層６３２が施された領域のうち、裏面に白インク層６３３が施されていない領域をＡ領域とし、裏面に白インク層６３３が施されている領域をＢ領域とする。
また、パネル６０を取り付けたときに、Ａ領域とＬＥＤ６７１の配置が一致するように、絵柄の構図やＬＥＤ基板６７の位置を調整しておく。つまり、Ａ領域に高輝度・高指向性の光が到達して粒状光が発生し易いようにしておく。
【００３８】
図１４（ａ）において、まず、ＬＥＤ６７１から発せられた光は、照明光拡散カバー６６に入射すると拡散され、その拡散光が後側パネル６５を透過して絵柄シート６３の裏面に到達する。ただし、Ａ領域のように、ＬＥＤ６７１の位置に対応する部分については、高輝度の光が絵柄シート６３の裏面に到達する。
絵柄シート６３の裏面に到達した光は、凹凸層６３４で乱反射される。
このうち、白インク層６３３が積層されていないＡ領域では、ベース層６３１を透過して絵柄層６３２に到達する。
このため、Ａ領域では、ＬＥＤ６７１からの高輝度の光が乱反射によってギラギラ輝く視覚効果を奏し、また、このような視覚効果によって、粒状光が目立たなくなる。
【００３９】
他方、白インク層６３３が積層されているＢ領域では、白インクの拡散機能によって光がＢ領域内を拡散する。
このため、Ｂ領域では、照明光拡散カバー６６で拡散された光が、さらに、色インクの機能によって拡散される。
この結果、Ｂ領域でも、粒状光は目立たず、また、より均一に光が照射されるため、Ａ領域とＢ領域とのコントラストによって、Ａ領域における視覚効果を強調させることができる。
【００４０】
次に、ちぢみ加工が全面に施されたちぢみシート６４について説明する。
ちぢみシート６４は、基材の樹脂シートに相当するベース層６４１と上記ちぢみ加工による凹凸層６４２とが積層されて生成される（図１４（ｂ）参照）。
ちぢみシート６４は、例えば、絵柄シート６３のちぢみ加工による視覚効果だけでは粒状光の発生を防げない場合に、絵柄シート６３とともに使用することでその解消を図ることができる。
具体的には、ちぢみシート６４と絵柄シート６３とを、絵柄シート６３が正面側になるようにして、前側パネル６２と後側パネル６５の間に挟装して用いる（図４，１４（ｂ）参照）。
【００４１】
図１４（ｂ）において、まず、ＬＥＤ６７１から発せられた光は、照明光拡散カバー６６に入射すると拡散され、その拡散光が後側パネル６５を透過してちぢみシート６４の裏面に到達する。ただし、Ａ領域のように、ＬＥＤ６７１の位置に対応する部分については、高輝度の光がちぢみシート６４の裏面に到達する。
ちぢみシート６４の裏面に到達した光は、凹凸層６４２で乱反射され、ベース層６４１を透過して絵柄シート６３の裏面に到達する。
このうち、白インク層６３３が積層されていないＡ領域では、ベース層６３１を透過して絵柄層６３２に到達する。
このため、Ａ領域では、高輝度の乱反射光が、さらに凹凸層６３４で乱反射され、この結果、より緻密にギラギラ輝き、また、このような視覚効果によって、粒状光が一層目立たなくなる。
【００４２】
つまり、絵柄シート６３とちぢみシート６４とを併せて用いることによって、絵柄シート６３だけを用いた場合に比べ、Ａ領域をより緻密な光でギラギラ輝かせることができ、このため、Ａ領域における粒状光をより目立たなくすることができる。
なお、Ｂ領域については、絵柄シート６３を単独で用いた場合とほぼ同様の作用効果を奏するため、具体的な説明については省略する。
【００４３】
以上述べたように、絵柄シート６３にちぢみ加工を施すことによって固有の視覚効果を得ることができ、また、ちぢみシート６４を併せて用いるか否かによって視覚効果を調整することができるようにしている。
なお、このような視覚効果の調整は、ちぢみシート６４を用いず、絵柄シート６３におけるちぢみ加工における凹凸の程度（凹凸の密度等）に変化を加えることによって、絵柄シート６３だけでも実施可能である。
ただし、絵柄シート６３は、シルク印刷等によって絵柄の印刷を施したものであり、単にちぢみ加工を施しただけのちぢみシート６４に比べ高価である。
このため、ちぢみシート６４を併用することで、所望の視覚効果を安価に得ることができる。
【００４４】
以上、本発明の遊技機によれば、照明光拡散カバー６６をパネル６０の裏面側の所定の位置に取り付けることによって、ＬＥＤ（点光源）等、照射域が狭い光源からの光を効果的に拡散させることができるので、パネル全体を均一の明るさで照射することができる。
また、絵柄シート６３等に施した凹凸の乱反射を利用することによって、粒状光を視認できないように固有の視覚効果を奏することができる。
また、このような視覚効果を、ちぢみ加工を施したちぢみシート６４を用いることで安価に調整することもできる。
【００４５】
さらに、本実施形態のようにパネル全面を一様に照射し、均一の明るさで表示することを可能とすることで、パネル部６を介して行われる不正行為を発見し易くすることができる。
例えば、ドリル等の工具を用いて前側パネル６２の任意の領域に、取付板６８に至る貫通孔を開け、導線等を用いて遊技信号を変化させて遊技を有利にするような不正行為があった場合には、照明光拡散カバー６６の孔からはＬＥＤ６７１からの高輝度の照射光が漏れ出て絵柄シート６３の一部に投影される。
このため、店員は、このような不自然な投影に基づいて不正行為を容易に発見することができる。
これに対し、特許文献１に記載の技術においては、次のような問題があった。
ＬＥＤは、点光源であるとともに一般には指向性が高い。
このため、ＬＥＤをバックライトとして用いた場合、パネルでは、ＬＥＤに対応する箇所が粒状に表示され、見栄えが悪い。
また、複数のＬＥＤを透明又は半透明のチューブに入れるなどして製作される短い棒状の光源を用い、これを断続的に複数配置してパネルを照射する方法も考えられる。
ところが、棒状光源は、点光源ほどではないが、照射域が狭く、これを如何に配置しても、パネル上では、明るさにムラが生じてしまう。
これに対し、本発明に係る遊技機は、照射域が狭い所定の光源を用いつつも、パネル全体を均一の明るさで照射することができるため、上述したような従来の技術が有する問題を解決することができる。
【００４６】
以上、本発明の遊技機の好ましい実施形態について説明したが、本発明に係る遊技機は上述した実施形態にのみ限定されるものではなく、本発明の範囲で種々の変更実施が可能であることはいうまでもない。
例えば、ちぢみシート６４を絵柄シート６３に直接貼り付けて用いてもよい。
また、上記実施形態では、絵柄シート６３やちぢみシート６４にちぢみ加工を施すようにしているが、ちぢみ加工を施した絵柄シート６３だけを用いてもよく、また、ちぢみ加工を施さない絵柄シート６３とちぢみシート６４を組合せることによって本発明を構成することもできる。
また、パネル６０を構成する前側パネル６２や後側パネル６５のいずれか、又は、双方に、ちぢみ加工を施すようにすることもできる。
また、上記実施形態では、点光源であるＬＥＤ６７１（ＬＥＤ基板６７）を取付板６８に配列した例について説明したが、点光源に限らず、例えば、短い棒状光源を断続的に取付板６８に配列する態様であってもよい。
この場合であっても、棒状光源からの光は、照明光拡散カバー６６により効果的に拡散され、パネル全体を均一の明るさで照射することができる。
【符号の説明】
【００４７】
１  スロットマシン
１ａ  前扉
２  ドラムユニット
６  パネル部
６０  パネル
６１  下パネル枠
６２  前側パネル
６３  絵柄シート
６４  ちぢみシート
６５  後側パネル
６６  照明光拡散カバー
６７  ＬＥＤ基板
６７１  ＬＥＤ
６８  取付板
６９  下パネル凹部
【図１】
2018171527.tif 000003
【図２】
2018171527.tif 000004
【図３】
2018171527.tif 000005
【図４】
2018171527.tif 000006
【図５】
2018171527.tif 000007
【図６】
2018171527.tif 000008
【図７】
2018171527.tif 000009
【図８】
2018171527.tif 000010
【図９】
2018171527.tif 000011
【図１０】
2018171527.tif 000012
【図１１】
2018171527.tif 000013
【図１２】
2018171527.tif 000014
【図１３】
2018171527.tif 000015
【図１４】
2018171527.tif 000016